(57)【特許請求の範囲】
【請求項１】
下記式（Ｉ）を満足する、長手方向にテーパーを有するコンクリート製の柱または梁からなるコンクリート構造物を少なくとも一方向にアラミド繊維を配した幅Ｗのシートを巻いて補強・補修するに際し、該構造物の長手方向の直角方向に、一捲きをシートの長さ方向に２枚以上に分けて、そのシート枚数と同数の重ね合わせ部分を形成して卷回し、接着剤を介して密着させることを特徴とするコンクリート構造物の補強・補修方法。
（Ｌｗ−Ｌｏ）／Ｗ＞０．３                  （Ｉ）
ただし、Ｌｏは起点位置における構造物の周長（ｃｍ）、Ｌｗは起点位置から太くなる方向にＷｃｍ離れた位置における構造物の周長（ｃｍ）、Ｗはシート幅（ｃｍ）である。
【請求項２】
シートを２層以上に積層卷回することを特徴とする請求項１記載のコンクリート構造物の補強・補修方法。
【請求項３】
構造物が高架橋の橋桁またはその梁であることを特徴とする請求項１記載のコンクリート構造物の補強・補修方法。
【請求項４】
接着剤がエポキシ系樹脂であることを特徴とする請求項１記載のコンクリート構造物の補強・補修方法。
【発明の詳細な説明】
【０００１】
【発明の属する技術分野】
本発明はコンクリート構造物の補強・補修方法に関し、特にテーパーを有する構造物を、補強効果を低下させることなく補強・補修する方法に関する。
【０００２】
【従来の技術】
コンクリート製の柱や梁の補強・補修はアラミド繊維、ガラス繊維、炭素繊維などの繊維を用いたシートをエポキシ樹脂などの接着剤で周囲に貼り付けて行われる。この場合、コンクリート製柱の長軸直角方向にテープ状シートをリング状に貼り付ける作業が行われる。
【０００３】
【発明が解決しようとする課題】
しかしながら、断面の周長が一定でないもの、すなわちテーパー状になった柱や梁の補強・補修は1枚のシートを用いて行うと、周長が短い部分でシートの浮きが発生するという問題があった。
【０００４】
このようなテーパーを有するコンクリート構造物の補強・補修方法としては、幅の狭いシートを用いて、螺旋状に巻き付ける方法があるが、補強効果の予測が困難なため、補強設計ができないという問題があった。また、極端に幅の狭いシートを長軸直角方向に多数巻きつけて行う方法もあるが、施工の手間が多く、経済性にも問題があった。
【０００５】
本発明は、上述の従来技術の欠点を解消し、補強設計が容易で、かつ補強工事が容易に行うことができると共に通常のコンクリート構造物の補強と同等の効果を有する、テーパー状コンクリート構造物の補強・補修方法を提供することを目的とするものである。
【０００６】
【課題を解決するための手段】
上記課題を解決するため、本発明は次の手段を採る。
【０００７】
（１）下記式（Ｉ）を満足する、長手方向にテーパーを有するコンクリート製の柱または梁からなるコンクリート構造物を少なくとも一方向にアラミド繊維を配した幅Ｗのシートを巻いて補強・補修するに際し、該構造物の長手方向の直角方向に、一捲きをシートの長さ方向に２枚以上に分けて、そのシート枚数と同数の重ね合わせ部分を形成して卷回し、接着剤を介して密着させることを特徴とするコンクリート構造物の補強・補修方法。
【０００８】
（Ｌｗ−Ｌｏ）／Ｗ＞０．３                  （Ｉ）
ただし、Ｌｏは起点位置における構造物の周長（ｃｍ）、Ｌｗは起点位置から太くなる方向にＷｃｍ離れた位置における構造物の周長（ｃｍ）、Ｗはシート幅（ｃｍ）である。
【０００９】
（２）シートを２層以上に積層卷回することを特徴とする上記（１）記載のコンクリート構造物の補強・補修方法。
【００１０】
（３）構造物が高架橋の橋桁またはその梁であることを特徴とする上記（１）記載のコンクリート構造物の補強・補修方法。
【００１１】
（４）接着剤がエポキシ系樹脂であることを特徴とする上記（１）記載のコンクリート構造物の補強・補修方法。
【００１２】
【発明の実施の形態】
本発明におけるコンクリート構造物とはコンクリート製の柱または梁を称し、たとえば高架道路、高架鉄道などの柱、および梁であり、順次太さが異なる、いわゆるテーパーを有する部分である。
【００１３】
用いるシートは少なくとも一方向にアラミド繊維を配したシートであり、アラミド繊維が単に一方向に引き揃えられたものでも良いし、更に直角方向にアラミド繊維または他の繊維が織り込まれた織物でも良い。
【００１４】
本発明においては、式（Ｉ）を満足する場合に適用される。
【００１５】
（Ｌｗ−Ｌｏ）／Ｗ＞０．３                  （Ｉ）
（ただし、Ｌｏは起点位置における構造物の周長（ｃｍ）、Ｌｗは起点位置から太くなる方向にＷｃｍ離れた位置における構造物の周長（ｃｍ）、Ｗはシート幅（ｃｍ）である。）
そして好ましくは、（Ｌｗ−Ｌｏ）／Ｗ＞０．５である。
【００１６】
式（Ｉ）の意味は、たとえば幅（Ｗ）が１００ｃｍのシートを用いる場合、テーパー状コンクリート構造物のある点の周長（Ｌｏ）が４００ｃｍであれば、この点から柱の長手方向に１００ｃｍ離れた点の周長（Ｌｗ）が４３０ｃｍを越えるものを対象とする。
【００１７】
換言すれば、このようなテーパー率の構造物の場合は、本願発明の補強・補修方法、すなわち、その構造物の長手方向の直角方向に、一捲きをシートの長さ方向に２枚以上に分けて、そのシート枚数と同数の重ね合わせ部分形成して卷回し、接着剤を介して密着させる必要がある。
【００１８】
以下に図面を参照して本発明の実施例を説明する。
【００１９】
図１は本発明において対象とするテーパーを有するコンクリート構造物の概念図であり、この構造物１は断面が円形の円錐状であり、ある点の周長をＬｏ、そこからシートの幅Ｗだけ離れた位置の周長をＬｗとする状況を示している。
【００２０】
図２は本発明の補強・補修方法を実施している状況を示す断面説明図であり、この例の構造物１の断面は正方形であり、構造物は角錐形である。まず、構造物１の表面にエポキシ系などの接着剤（図示せず）を塗布し、その上に幅Ｗで、かつ長さが構造物の周長Ｌｗの１／２より若干長い第１層アラミドシート（長手方向がアラミドで幅方向がナイロンの織物）２ａを巻き付けて接着固定する。それによって構造物１の約半周が被覆される。次いで同じ形状の第１層アラミドシート２ｂを残りの部分に巻き付け、２箇所の重ね合わせ部分３、３’を接着剤で固定する。これで第１層が完成する。勿論、この構造物は長手方向にテーパーを有しているため、シートはＬｏ側で弛み気味になるが、シートを二枚に分けて短くなっているのでこの弛みはテープ（織物）の柔軟性で吸収し、浮き上がりを生じない。次いで、同様の方法で第２層アラミドシート４ａ，４ｂを卷回被覆するが、この場合の重ね合わせ部５，５’は第１層の重ね合わせ部３，３’とは異なる位置にくるように卷回する。
【００２１】
図１の例ではシートを２枚に分けて被覆する例を挙げたが、本発明においては、この枚数は構造物のテーパー率により、適宜２枚以上、たとえば３枚、あるいは４枚に分けることができる。一般にテーパー率が大きいほど枚数を増やすのが好ましい。また、この例では、第１層と第２層を設けた例を示したが、本発明においては、１層だけでも良いし、更に第３層以上を設けても良い。
【００２２】
本発明は野外のコンクリート構造物の補強・補修に適用することができ、その場合、更に上塗りの塗装などが行われるのは制限されるものではない。
【００２３】
【発明の効果】
本発明の補強・補修方法は、構造物がテーパーを有していても、卷回するシートを少なくとも２枚に分けて巻き付けるため、片側での浮き上がりが生じることなく、密着した状態を保つことができ、アラミド繊維の強度を十分に活かしてコンクリート構造物の補強・補修を行うことができる。
【図面の簡単な説明】
【図１】図１はテーパーを有するコンクリート構造物の概念図である。
【図２】図２は本発明の補強・補修方法を実施している状況を示す断面説明図である。
【符号の説明】
１：コンクリート構造物
２ａ，２ｂ：第１層アラミドシート
３，３’，５，５’：重ね合わせ部
４ａ，４ｂ：第２層アラミドシート
【図１】
0003896559.tif 000002
【図２】
0003896559.tif 000003